(57)【要約】【課題】本体ケースを安定した状態で移動できるとともに取り扱いが容易な電気掃除機を提供する。【解決手段】本体ケース３の本体吸込口２５にホース体３１を着脱可能に取り付ける。本体ケース３を床面上で移動させるハンドル体５３を本体ケース３の後側に着脱自在に取り付ける。ホース体３１にて掃除する場合には、使用者がハンドル体５３を把持して本体ケース３を安定した状態で移動できる。ハンドル体５３が必要ない場合には、ハンドル体５３を本体ケース３から容易に取り外しできる。電気掃除機１の取り扱いを容易にできる。【選択図】        図１
2004173787.tif 000002
【特許請求の範囲】
【請求項１】
電動送風機を収容し、被掃除面を移動可能な掃除機本体と、
前記電動送風機の吸込側に連通され、前記電動送風機の駆動により被掃除面上の塵埃を吸い込むホース体と、
前記掃除機本体に着脱自在に取り付けられ、前記掃除機本体を被掃除面で移動させるハンドル体と
を具備したことを特徴とした電気掃除機。
【請求項２】
ハンドル体は、上方への外力により前記掃除機本体から取り外し可能である
ことを特徴とした請求項１記載の電気掃除機。
【請求項３】
掃除機本体は、上下方向に延びる柱状に形成され、
ホース体は、前記掃除機本体に設けられたホース体取付部に取り付けられ、
ハンドル体は、基端が前記ホース体取付部と反対側に位置して前記掃除機本体に着脱可能に取り付けられ、先端が前記ホース体取付部側に延びている
ことを特徴とした請求項１または２記載の電気掃除機。
【発明の詳細な説明】
【０００１】
【発明の属する技術分野】
本発明は、電動送風機を収容した掃除機本体を備えた電気掃除機に関する。
【０００２】
【従来の技術】
従来、この種の電気掃除機は、電動送風機を収容した掃除機本体を備えている。この掃除機本体の被掃除面としての床面に対向する下面には、吸込口が開口形成されている。また、掃除機本体の下面には、この掃除機本体を走行させる従動輪が掃除機本体の前後方向に回転可能に設けられている。さらに、掃除機本体の後側には、ハンドル体が着脱可能に取り付けられている。このハンドル体は、操作スイッチを介して掃除機本体から着脱される。そして、使用者は、ハンドル体を把持し、掃除機本体を操作して前後に移動させつつ、掃除機本体の吸込口から床面上の塵埃を吸い込ませて掃除する（例えば、特許文献１参照。）。
【０００３】
【特許文献１】
特開２００１−３２１３０２号公報（第７頁、図１）
【０００４】
【発明が解決しようとする課題】
上記公報に記載された電気掃除機は、ハンドル体が着脱可能には設けられているものの、掃除機本体にホース体が設けられたものではなく、掃除中にホース体を引っ張って掃除機本体を移動させる電気掃除機の不具合を解消できるものではない。
【０００５】
具体的には、ホース体を有する電気掃除機においては、掃除機本体を安定した状態で移動させ、かつ、取り扱いを容易にするという技術的課題があるが、上記公報に記載されたものでは、この課題を何ら解決することができない。
【０００６】
本発明はこのような点に鑑みなされたもので、ホース体を有する電気掃除機に関し、掃除機本体を安定した状態で移動させることができるとともに取り扱いが容易な電気掃除機を提供することを目的とする。
【０００７】
【課題を解決するための手段】
本発明の電気掃除機は、電動送風機の吸込側に連通され、電動送風機の駆動により被掃除面の塵埃を先端側から吸い込むホース体と、掃除機本体に着脱自在に取り付けられ、掃除機本体を被掃除面で移動させるハンドル体とを具備したものである。そして、ホース体により被掃除面の塵埃を掃除する場合には、使用者がハンドル体を把持して掃除機本体を安定した状態で移動でき、ハンドル体が必要ない場合には、ハンドル体を掃除機本体から容易に取り外しでき、取り扱いが容易になる。
【０００８】
【発明の実施の形態】
以下、本発明の電気掃除機の一実施の形態の構成を図１ないし図５を参照して説明する。
【０００９】
図１ないし図３において、１は例えばビルなどの清掃に用いられる業務用の電気掃除機であり、この電気掃除機１は、電動送風機２を収容した略円柱状の掃除機本体としての本体ケース３を備えている。この本体ケース３は、被掃除面としての床面に沿った方向である面方向に対して交差する方向である上下方向に延びる形状を有している。また、この本体ケース３は、図３に示すように、上端部を開口した下部ケース４と、この下部ケース４の上側の開口に着脱可能に取り付けられてこの上側の開口を閉塞する上部ケース５とで構成されている。
【００１０】
下部ケース４内には、図１に示すように、電池としての充電可能な二次電池６が収容されている。この二次電池６は重量が比較的大きいため、電気掃除機１の重量が比較的大きくなっている。また、この二次電池６は、電動送風機２に電気的に接続されており、この電動送風機２の駆動源となっている。
【００１１】
さらに、下部ケース４の床面に対向した下面には、図３に示すように、複数、例えば４つの旋回輪１１が、本体ケース３の重量を略均等に支持するように、本体ケース３の進行方向の前後および両側にそれぞれ互いに離間されて取り付けられている。すなわち、各旋回輪１１は、本体ケース３の前後方向および幅方向に沿った中心線について互いに線対称な位置に取り付けられている。また、これら旋回輪１１は、床面に沿って旋回可能であり、かつ本体ケース３の走行方向に沿って回転可能である。これら旋回輪１１により、本体ケース３が床面上を走行可能となっている。
【００１２】
またさらに、下部ケース４内の上端部には、平面視略円形状の塵埃収容室１２が区画形成されている。この塵埃収容室１２は、電動送風機２の駆動によりこの塵埃収容室１２内に沿って形成される旋回風にて、吸い込んだ空気に含まれる塵埃を自重による遠心分離により落下させて集塵するサイクロン分離室である。さらに、塵埃収容室１２内には、この塵埃収容室１２内の旋回風の中心となる円筒状のサイクロン中心部１３が後側に偏位した位置に設けられている。そして、塵埃収容室１２内の前側には、この塵埃収容室１２の接線方向に沿って開口端面を含む平面に対して垂直な方向である開口方向を有した連通風路１４が区画形成されている。
【００１３】
また、塵埃収容室１２の上部には、フィルタ部１５が着脱可能に取り付けられている。このフィルタ部１５は、複数、例えば２枚のフィルタ体１６を備えており、これらフィルタ体１６は互いに重ね合わせられて枠体１７に着脱可能に取り付けられている。この枠体１７は、フィルタ体１６が取り付けられた状態で塵埃収容室１２および連通風路１４の上部に係合されて載置される。
【００１４】
一方、上部ケース５は、下部ケース４の上端の開口である塵埃収容室１２の上側の開口を閉塞する略円形状の蓋部２１、この蓋部２１の上部に一体に設けられた略円筒状の胴体部２２およびこの胴体部２２の上端部に一体に設けられた略円形状の天板部２３とで構成されている。
【００１５】
ここで、蓋部２１は、下部ケース４の上側の形状に沿って形成されており、図１に示すように、下部ケース４の外側面に設けられた固定部材２４により、下部ケース４に対して係脱可能に固定される。また、蓋部２１の前側には、図１および図３に示すように、下部ケース４の連通風路１４に連通するホース体取付部としての円形状の本体吸込口２５が開口形成されている。この本体吸込口２５は、上部ケース５を上下方向に貫通して設けられている。
【００１６】
また、胴体部２２は、蓋部２１と略同軸状に設けられており、外径寸法が蓋部２１の外径寸法よりも小さく形成されている。さらに、胴体部２２の前側は、本体吸込口２５よりも若干後側に位置している。またさらに、胴体部２２内には、上端部から下端部に亘って電動送風機２が排気側を上方に向けて配設されている。そして、この電動送風機２は、上部ケース５を下部ケース４に取り付けた際に、吸込側がフィルタ部１５の上方に位置してフィルタ体１６と気密な状態で接続される。
【００１７】
さらに、天板部２３は、胴体部２２と同軸状に設けられており、外径寸法が胴体部２２の外径寸法よりも大きく、かつ蓋部２１の外径寸法よりも小さく形成されている。したがって、上部ケース５は、側面視でコイルボビン状に形成されている。また、天板部２３の下側面には、電動送風機２の排気側に連通された排気口２６が設けられている。このため、電動送風機２から排気された排気風は、排気口２６を介して下方向に排気され、蓋部２１の上面に当たって床面へと到達しないようになっている。
【００１８】
またさらに、本体吸込口２５には、図１に示すように、可撓性を有するホース体３１の排気側である基端側が、接続部３２を介して連通されて着脱可能に接続される。したがって、ホース体３１は、本体吸込口２５、塵埃収容室１２およびフィルタ部を介して、基端側が電動送風機２の吸込側に連通接続されており、この電動送風機２の駆動により、吸込側である先端側から床面上の塵埃を吸い込む。さらに、ホース体３１は、上部ケース５の胴体部２２の周囲に巻回して収容可能である。また、接続部３２は、比較的硬質の樹脂にて屈曲形成されており、本体吸込口２５の開口端面を含む平面に対して垂直な方向である開口方向に対して本体ケース３の外方に向けて水平に屈曲した状態に取り付けられ、本体吸込口２５の周方向に沿って摺動可能となっている。
【００１９】
そして、ホース体３１の先端側には、延長管３３および床ブラシ３４が着脱可能に順次連通接続される。
【００２０】
また、上部ケース５の天板部２３の上面の前側、すなわち本体吸込口２５の上方には、電動送風機２の運転状態をオンオフする操作ボタン３５が設けられている。
【００２１】
さらに、天板部２３の上面には、取付部材としてのハンドル基部４１が取り付けられている。このハンドル基部４１は、天板部２３の径方向における操作ボタン３５と反対側、すなわち天板部２３の平面視の中心について操作ボタン３５と点対称な位置に取り付けられている。言い換えると、ハンドル基部４１は、本体ケース３の径方向に沿った本体吸込口２５と反対側に位置している。したがって、ハンドル基部４１は、本体ケース３の径方向に沿ったホース体３１の反対側に取り付けられている。
【００２２】
このハンドル基部４１は、図２に示すように、金属にて成形された一対の側板４２を有している。これら側板４２は、天板部２３の上面において後方向に直線状に設けられた平板部４３と、この平板部４３と一体に設けられ天板部２３の後側の縁部に沿って下方向に屈曲された屈曲部４４とで構成されている。平板部４３は、本体ケース３の後方に向かって上面が下方向に傾斜して形成されている。またさらに、これら平板部４３の間には、矩形平板状の底板４５が一体に設けられており、この底板４５が上部ケース５の天板部２３の上面に例えばボルト締めなどで固定されることにより、ハンドル基部４１が天板部２３に取り付けられている。
【００２３】
また、側板４２は、天板部２３における平面視前後方向の中心線について、互いに線対称な位置に設けられている。したがって、ハンドル基部４１は、本体ケース３の前後方向の中心線上に取り付けられている。
【００２４】
さらに、両側板４２の平板部４３の間には、第１の係合棒としての円柱棒状の前部シャフト５１が橋渡して取り付けられ、両端部がボルト締めなどにてそれぞれ平板部４３に固定されている。この前側シャフト５１は、天板部２３の上面に沿って水平に設けられており、平面視で天板部２３の後端部から若干前側に離間された位置に設けられている。
【００２５】
そして、両側板４２の屈曲部４４の間には、第２の係合棒としての後部シャフト５２が橋渡して取り付けられ、両端部がボルト締めなどにてそれぞれ屈曲部４４に固定されている。この後部シャフト５２は、前部シャフト５１と略等しい外径寸法を有しており、この前部シャフト５１に対して平行に設けられている。さらに、この前部シャフト５１は、平面視で天板部２３の後端部から若干後側に離間された位置に設けられている。また、この前部シャフト５１は、側面視で前部シャフト５１よりも下側、かつ天板部２３の上面よりも上側に設けられている。
【００２６】
そして、ハンドル基部４１には、ハンドル体５３が着脱可能に取り付けられる。このハンドル体５３は、金属にて形成されハンドル基部４１に着脱可能に取り付けられる基端としての取付部５４と、この取付部５４から本体吸込口２５側に突出して延びた先端としての金属製の把持体５５とを備えている。
【００２７】
ここで、取付部５４は、ハンドル基部４１の側板４２の平板部４３の内形に略沿った外形、すなわち平面視略矩形状に形成されている。また、取付部５４の一端部としての後側である先端部６１は、他端部としての前側である略矩形状の基端部６２に対して先端側に向かって上下方向の寸法が小さくなるように形成されている。またさらに、この先端部６１は、天板部２３の上面の後端部に沿って基端部６２に対して若干下方に屈曲されている。この先端部６１には、後部シャフト５２に係合される係合孔としての側面視略円形状のシャフト係合孔６３が切り欠き形成されている。このシャフト係合孔６３は、取付部５４の両側面および前側面に連通している。
【００２８】
さらに、このシャフト係合孔６３は、内径寸法が後部シャフト５２の外径寸法よりも若干大きく形成され、ハンドル体５３をハンドル基部４１に取り付けた際に、後部シャフト５２に係合される。またさらに、このシャフト係合孔６３は、取付部５４の基端部６２の下側面に沿った方向である面方向と平行になるように前後方向に開口形成されており、シャフト係合孔６３に後部シャフト５２を容易に係合できるようになっている。
【００２９】
また、取付部５４の基端部６２側寄りの位置には、前部シャフト５１に嵌合される嵌合孔としての側面視円弧状のシャフト嵌合孔６４が切り欠き形成されている。このシャフト嵌合孔６４は、取付部５４の両側面および下側面に連通している。さらに、このシャフト嵌合孔６４は、幅寸法である前後方向の寸法が前部シャフト５１の外径寸法よりも若干大きく形成されている。またさらに、このシャフト嵌合孔６４は、シャフト係合孔６３の側面視の中心を中心とした円弧状であり、このシャフト係合孔６３の側面視の中心とシャフト嵌合孔６４の重心との距離寸法は、後部シャフト５２の中心軸と前部シャフト５１の中心軸との間の距離寸法と略等しく形成されている。
【００３０】
そして、シャフト嵌合孔６４の下端部は、上端部よりも前後方向に若干拡開されており、シャフト嵌合孔６４に前部シャフト５１を容易に嵌合できるようになっている。
【００３１】
また、取付部５４の基端部６２には、把持体５５の基端側が挿入されて取り付けられる円筒状の嵌合部６５が一体に設けられている。この嵌合部６５は、この嵌合部６５の開口端面を含む平面に対して垂直な方向である開口方向を取付部５４の前方上側に傾斜させて設けられている。
【００３２】
一方、把持体５５は、嵌合部６５の開口方向である取付部５４の前方上側に沿って、かつ平面視で本体ケース３の前後方向の中心線に沿って延在しており、本体ケース３の前端部よりも前方に突出している。
【００３３】
また、把持体５５の先端側には、把持体５５の軸方向に対して下方向に若干屈曲された把持部６６が取り付けられている。この把持部６６は、例えばゴムなどの比較的把持しやすい部材で形成されている。
【００３４】
次に、上記一実施の形態におけるハンドル体の着脱方法を図４および図５を参照して説明する。
【００３５】
ハンドル体５３を本体ケース３に対して取り付ける際には、図４に示すように、まず、使用者が把持体５５の把持部６６を把持した状態で、ハンドル体５３の取付部５４のシャフト係合孔６３をハンドル基部４１の後部シャフト５２に対して本体ケース３の上方から係合させる。
【００３６】
この後、図４の二点鎖線に示すように、後部シャフト５２を中心としてハンドル体５３の把持体５５を下方向に回動させることにより、取付部５４のシャフト嵌合孔６４に前部シャフト５１を係合させる。
【００３７】
一方、ハンドル体５３を本体ケース３から取り外す際には、ハンドル体５３を本体ケース３に取り付けた際と逆の動作をする。すなわち、図５に示すように、使用者が把持体５５の把持部６６を把持した状態で、後部シャフト５２を中心として把持体５５を上方に回動させてハンドル体５３の取付部５４のシャフト嵌合孔６４を前部シャフト５１から取り外した後、図５の二点鎖線に示すように、ハンドル体５３を上方に引き抜いてシャフト係合孔６３を後部シャフト５２から取り外す。
【００３８】
したがって、ハンドル体５３は、電気掃除機１を床面を走行可能にした状態で重力方向である下方向に対向する外力、すなわち上方への外力が加わった場合にのみ、ハンドル基部４１から取り外される。
【００３９】
次に、上記一実施の形態による掃除動作を説明する。
【００４０】
まず、ホース体３１により床面上の塵埃を掃除する際には、本体ケース３に取り付けられたハンドル基部４１にハンドル体５３を取り付けた後、本体ケース３の本体吸込口２５にホース体３１、延長管３３および床ブラシ３４を順次連通接続する。
【００４１】
そして、使用者は、操作ボタン３５で電動送風機２を駆動させた後、電気掃除機１の前側に立ち、ハンドル体５３の把持体５５の把持部６６を一方の手で把持した状態で、ホース体３１と延長管３３との接続部の近傍を他方の手で把持し、ハンドル体５３を引いて電気掃除機１を移動させるとともに、床ブラシ３４を床面上で前後に走行させる。
【００４２】
このとき、本体ケース３内の電動送風機２の駆動により発生する吸込力によって、床ブラシ３４の先端部から空気とともに床面上の塵埃が吸い込まれ、この吸い込まれた空気は、床ブラシ３４から延長管３３およびホース体３１を順次介して本体ケース３の本体吸込口２５へと吸い込まれた後、この本体ケース３内の連通風路１４を介して塵埃収容室１２内へと流入する。
【００４３】
そして、塵埃収容室１２内へと流入した空気は、連通風路１４により塵埃収容室１２の内壁の接線方向に沿って旋回風となり、この空気に含まれた塵埃が遠心分離されて自重により塵埃収容室１２内へと落下して収容される。
【００４４】
塵埃を分離された空気は、遠心分離できなかった微細な塵埃をフィルタ部１５の複数のフィルタ体１６により除去され、電動送風機２内を通過した後、排気口２６から本体ケース３の外部へと排気される。
【００４５】
一方、本体ケース３を移動させる必要がない場合などには、本体ケース３に設けられたハンドル基部４１からハンドル体５３を取り外して電気掃除機１を使用する。
【００４６】
上述したように、上記一実施の形態によれば、ホース体３１により床面上の塵埃を掃除する場合には、使用者がハンドル体５３を把持して本体ケース３を安定した状態で移動でき、例えば本体ケース３を収容する場合など、ハンドル体５３が必要ない場合には、ハンドル体５３を本体ケース３から容易に取り外しでき、電気掃除機１の取り扱いを容易にできる。
【００４７】
また、ハンドル体５３は、上方への外力がかかった場合にのみ本体ケース３のハンドル基部４１から外れるため、本体ケース３を床面上で走行させる際に本体ケース３の径方向に外力がかかっても本体ケース３のハンドル基部４１から外れず、本体ケース３を自在に走行させることができる。
【００４８】
同時に、ハンドル体５３を本体ケース３から容易に取り外しできない従来のような場合においては、比較的重量が大きい業務用の電気掃除機１を不用意に持ち上げて落下させ、本体ケース３の加重により旋回輪１１を損傷したり、落下時の衝撃により電動送風機２を損傷したりするおそれがあったが、上記一実施の形態のように、上方向に外力が加わった際にハンドル体５３がハンドル基部４１から外れるように構成したことで、ハンドル体５３にて本体ケース３を上方向へと持ち上げようとした場合には、ハンドル体５３が本体ケース３から容易に外れ、本体ケース３を必要以上に持ち上げることができないため、旋回輪１１の損傷などを防止できる。
【００４９】
さらに、ハンドル体５３を本体ケース３から容易に取り外しできるので、電気掃除機１を収納する際などに場所を取らず省スペース化できる。
【００５０】
またさらに、ホース体３１とハンドル体５３とを本体ケース３の前後方向の中心線上、かつ本体ケース３の径方向の反対側に設けたことにより、ハンドル体５３を使用者が引っ張った際に、本体ケース３の中心線に沿って外力がかかるため、本体ケース３が回転することなくハンドル体５３の引っ張り方向に追従して移動するので、バランスがとりやすく、本体ケース３を安定して操作できる。
【００５１】
そして、ハンドル体５３を操作した際に外力が加わりやすいハンドル体５３の取付部５４およびハンドル基部４１をそれぞれ金属製としたことにより、ハンドル体５３およびハンドル基部４１の耐久性をより向上できる。
【００５２】
また、ハンドル体５３により本体ケース３を移動させるので、従来のようにホース体３１を引っ張って本体ケース３を移動させることでホース体３１の接続部３２を損傷したりすることがない。
【００５３】
なお、上記一実施の形態において、ハンドル体５３の本体ケース３への取付位置および取付方向は、本体ケース３を容易に操作できる位置および方向であれば、上記構成に限定されない。
【００５４】
さらに、ハンドル体５３の取付部５４およびハンドル基部４１の細部は、ハンドル体５３を容易に着脱でき、かつハンドル体５３にて本体ケース３を移動させることができれば、上記構成に限定されない。
【００５５】
【発明の効果】
本発明によれば、ホース体により被掃除面の塵埃を掃除する場合には、使用者がハンドル体を把持して掃除機本体を安定した状態で移動でき、ハンドル体が必要ない場合には、ハンドル体を掃除機本体から容易に取り外しでき、取り扱いを容易にできる。
【図面の簡単な説明】
【図１】本発明の電気掃除機の一実施の形態を示す斜視図である。
【図２】同上電気掃除機の一部を拡大して示す斜視図である。
【図３】同上電気掃除機を示す断面図である。
【図４】同上電気掃除機のハンドル体の取り付け動作を示す側面図である。
【図５】同上電気掃除機のハンドル体の取り外し動作を示す側面図である。
【符号の説明】
１    電気掃除機
２    電動送風機
３    掃除機本体としての本体ケース
２５    ホース体取付部としての本体吸込口
３１    ホース体
５３    ハンドル体
【図１】
2004173787.tif 000003
【図２】
2004173787.tif 000004
【図３】
2004173787.tif 000005
【図４】
2004173787.tif 000006
【図５】
2004173787.tif 000007